(57)【特許請求の範囲】
【請求項１】
目地部側が上部へ突出するように、一方の建物のパラペットの上部に取付けられたほぼクランク状の水切りカバーと、この水切りカバーの上部を左右方向に移動可能で、前記目地部を覆うように他方のパラペットあるいは他方の建物の外壁面に取付けられた両側板を有する山状あるいはクランク状の目地カバーと、前記水切りカバーの目地部側の上部へ突出する支持部に所定間隔で形成された複数個の支持孔と、この複数個の支持孔に左右の建物の異なる左右方向の揺れ動きに追従できる部位が支持され、他端部が前記目地カバーの一方の建物側の側板に前後方向に一端部が回動可能に取付けられた複数個の支持バーと、一端部が前記目地カバーの一方の建物側の側板に取付けられ、他端部が前記水切りカバーの支持部に所定量たるませて取付けられた防水シートと、この防水シートの所定部位を少なくとも１箇所以上支持して、前記複数個の支持バーにスライド移動可能に支持させる防水シート支持具とからなることを特徴とする屋上用目地カバー装置。
【請求項２】
目地カバーの他方の建物側の側板は他方の建物のパラペットのシール剤を介して固定、あるいはシール剤を介して他方の建物の外壁面に固定されていることを特徴とする請求項１記載の屋上用目地カバー装置。
【発明の詳細な説明】
【０００１】
【発明の属する技術分野】
本発明は目地部を介して建てられた左右の建物の屋上部の目地部を覆う屋上用目地カバー装置に関する。
【０００２】
【従来の技術】
従来、一方の建物のパラペットの上部に固定された目地部側が上方へ突出する支持部を有するほぼクランク状の水切りカバーと、この水切りカバーおよび目地部を覆うように他方の建物に取付けられた目地カバーと、この目地カバーの側板と前記水切りカバーの支持部との間に左右の建物が、異なる左右方向の揺れ動きに追従できる、所定量たるませた状態で取付けられた防水シートとで構成された屋上用目地カバー装置が考えられている。
【０００３】
【発明が解決しようとする課題】
従来の屋上用目地カバー装置は地震等によって左右の建物が異なる左右方向に揺れ動いた場合、所定量たるませた防水カバーがパラペットの内側に垂れ下がり、見苦しくなるという欠点があるとともに、スムーズに建物の揺れ動きに追従できないという欠点があった。
【０００４】
本発明は以上のような従来の欠点に鑑み、防水カバーがパラペットの内側に垂れ下がることなく、建物の揺れ動きにスムーズに追従して移動して、確実に防水を図ることができる屋上用目地カバー装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部側が上部へ突出するように、一方の建物のパラペットの上部に取付けられたほぼクランク状の水切りカバーと、この水切りカバーの上部を左右方向に移動可能で、前記目地部を覆うように他方のパラペットあるいは他方の建物の外壁面に取付けられた両側板を有する山状あるいはクランク状の目地カバーと、前記水切りカバーの目地部側の上部へ突出する支持部に所定間隔で形成された複数個の支持孔と、この複数個の支持孔に左右の建物の異なる左右方向の揺れ動きに追従できる部位が支持され、他端部が前記目地カバーの一方の建物側の側板に前後方向に一端部が回動可能に取付けられた複数個の支持バーと、一端部が前記目地カバーの一方の建物側の側板に取付けられ、他端部が前記水切りカバーの支持部に所定量たるませて取付けられた防水シートと、この防水シートの所定部位を少なくとも１箇所以上支持して、前記複数個の支持バーにスライド移動可能に支持させる防水シート支持具とで屋上用目地カバー装置を構成している。
【０００７】
【発明の実施の形態】
以下、図面に示す実施の形態により、本発明を詳細に説明する。
【０００８】
図１ないし図１１に示す本発明の第１の実施の形態において、１は目地部２を介して建てられた左右の建物３、３の屋上のパラペット４、４Ａ間の目地部２を覆う屋上用目地カバー装置で、この屋上用目地カバー装置１は前記左右の建物３、３の一方の目地部２側の一方のパラペット４の上部に複数本のビス５等によって固定された上面が前記目地部２側が順次高くなるように形成された、所定間隔で複数個配置される取付け金具６と、この複数個の取付け金具６に固定された目地部側が上方に突出する支持部７を有するほぼクランク状の水切りカバー８と、この水切りカバー８の支持部７の上部寄りの部位に所定間隔で形成された複数個の支持孔９と、前記左右の建物３、３の目地部２側の他方のパラペット４Ａの上部に複数本のビス５等によって、前記水切りカバー８上に位置する先端部が上下方向に回動する、所定間隔で複数個配置された目地カバー支持金具１０と、この複数個の目地カバー支持金具１０を覆うように、該目地カバー支持金具１０に固定された両側板１１、１１を有する目地カバー１２と、この目地カバー１２の一方の側板１１の内側面に先端部が前記水切りカバー８の支持孔９を通過して前記目地部のほぼ中央部に位置する、前後方向に回動可能に支持バー取付け金具１３を介して取付けられた複数個の支持バー１４と、一端部が前記目地カバー１２の一方の側板１１の内側に取付けられ、他端部が前記支持部７に所定量たるませて取付けられた防水シート１５と、この防水シート１５の所定部位を少なくとも１箇所以上、本発明の実施の形態では２箇所支持して前記複数個の支持バー１４にスライド移動可能に支持される、２つ折りされた折り曲げ部側に複数個の支持孔１６、下部寄りの部位に防水シート１５をボルト１７、ナット１８で固定するボルト挿入孔１９を有する図８に示すような防水シート支持具２０と、前記一方のパラペット４と前記水切りカバー８の反目地部側の下方へ突出する部位との間に充填された防水用のシール剤２１と、前記他方のパラペット４Ａと前記目地カバー１２の他方の側板１１の下部との間に充填された防水用のシール剤２２とで構成されている。
【０００９】
前記複数個の取付け金具６は図３に示すように、前記一方のパラペット４の上面に複数本のビス５等によって固定される板状の固定片２３と、この固定片２３の一側面より上方へ突出し、かつ上面が傾斜面２４となるように直角に折り曲げられた支持片２５と、この支持片２５の上端部より上方へ突出するように形成された上部取付け片２６と、前記支持片２５の下端部より下方へ突出するように形成された下部取付け片２７とで構成されている。
【００１０】
前記水切りカバー８は図４に示すように、前記複数個の取付け金具６の支持片２５に支持されるステンレス板、ステンレス合金等で形成された水切りカバー本体２８と、この水切りカバー本体２８の一端部より上方に突出するように一体成形された、前記複数個の取付け金具６の上部取付け片２６にビス５等によって取付けられる上方に複数個の支持孔９を有する支持部７と、前記水切りカバー本体２８の他端部より下方へ突出するように一体形成された、前記複数個の取付け金具６の下部取付け片２７にビス５等によって取付けられる下部取付け片２９とで構成されている。
【００１１】
前記目地カバー支持金具１０は図５に示すように、前記他方のパラペット４Ａの上面に複数本のビス５によって固定されるアングル状の固定金具３０と、この固定金具３０に枢支ピン３１で後端下部が枢支された先端部が前記水切りカバー８上に位置して上下方向に回動する、上部が山形状でアングル状の目地カバー支持金具本体３２と、この目地カバー支持金具本体３２の先端部を直角に折り曲げて形成した目地カバー取付け片３３とで構成されている。
【００１２】
前記目地カバー１２は図６に示すように、ステンレス、ステンレス合金等で前記複数個の目地カバー取付け金具１０の上部を覆う山形状の目地カバー本体３４と、この目地カバー本体３４の両端部より下方に突出するように一体形成された両側板１１、１１と、前記目地カバー本体３４の両端部に出没可能に設けられた小口蓋３５、３５とで構成されている。
【００１３】
前記支持バー取付け金具１３に先端部が前後方向に回動可能に取付けられた支持バー１４は、図７に示すように前記支持孔９に遊びを介して挿入される角柱、角パイプ状に形成された支持バー１４と、この支持バー１４の後端部を枢支ピン３６で先端部が前後方向に回動可能に枢支するコ字状の支持バー取付け金具本体３７とで構成されている。
【００１４】
上記構成の屋上用目地カバー装置１は地震等によって左右の建物３、３が揺れ動き、目地部２が広くなったり狭くなった場合には、図９および図１０に示すように複数個の支持バー１４が水切りカバー８の支持部７に形成された支持孔９をスライド移動するとともに、防水シート５が伸縮する。
この防水シート５の伸縮時には防水シート１５の所定部位を少なくとも１箇所以上、支持バー１４をスライド移動する防水シート支持具２０によって支持されているため、防水シート１５がたるんで一方のパラペット４部位へ垂れ下がったりする不具合を確実に阻止できる。
【００１５】
左右の建物３、３が異なる前後方向に揺れ動いた場合には、図１１に示すように複数個の支持バー１４の先端部が前後方向に回動するとともに、防水シート支持具２０も該複数個の支持バー１４によって回動させて、その揺れ動きを吸収する。
【００１６】
左右の建物３、３が異なる上下方向に揺れ動いた場合には、目地カバー支持具１０の目地カバー支持金具本体３２の上下方向の回動、複数個の支持バー１４と支持孔９との遊びによって、その揺れ動きを吸収する。
【００１７】
【発明の異なる実施の形態】
次に、図１２ないし図２２に示す本発明の異なる実施の形態につき説明する。なお、これらの本発明の異なる実施の形態の説明に当って、前記本発明の第１の実施の形態と同一構成部分には同一符号を付して重複する説明を省略する。
【００１８】
図１２ないし図１４に示す本発明の第２の実施の形態において、前記本発明の第１の実施の形態と主に異なる点は、水切りカバー８の支持部７の上部にチャンネル状に突出するガイドバー３８を取付けるとともに、該ガイドバー３８の上部水平バー３８ａが目地カバー支持金具本体３２の水切りカバー８上に形成された長孔状のガイド孔３９をスライド移動可能に取付けるとともに、複数個の支持バー１４を前後および上下方向にも回動可能に取付けることができる支持バー取付け金具１３Ａを用いた点で、このように構成された屋上用目地カバー装置１Ａにしても、前記本発明の第１の実施の形態同様な作用効果が得られるるともに、より確実に左右の建物の上下方向の揺れ動きをスムーズに吸収することができる。
【００１９】
図１５ないし図１８に示す本発明の第３の実施の形態において、前記本発明の第１の実施の形態と主に異なる点は、上面が傾斜面４０の目地カバー支持金具本体３２Ａに枢支された固定金具３０を他方の建物３の目地部側の外壁面３ａに複数本のビス５によって取付けた目地カバー支持金具１０Ａを用いるとともに、該目地カバー支持金具１０Ａに複数本のビス５によって固定されるほぼクランク状の目地カバー１２Ａを用いた点で、このように形成された目地カバー支持金具１０Ａと目地カバー１２Ａを用いて構成した屋上用目地カバー装置１Ｂにしても、前記本発明の第１の実施の形態と同様な作用効果が得られる。
【００２０】
図１９および図２０に示す本発明の第４の実施の形態において、前記本発明の第１の実施の形態と主に異なる点は、目地カバー１２の一方の側板１１の下端部と、水切りカバー８との間を防水可能に覆う第２の防水シート４１を設置した点で、このように構成した屋上用目地カバー装置１Ｃにしてもよい。
【００２１】
図２１および図２２に示す本発明の第５の実施の形態において、前記本発明の第１の実施の形態と主に異なる点は、パラペット４、４Ａの上部間をＵ字状に覆う防水シート４２を設けた点で、このように構成した屋上用目地カバー装置１Ｄにしてもよい。
【００２２】
【発明の効果】
以上の説明から明らかなように、本発明にあっては次に列挙する効果が得られる。
【００２３】
（１）目地部側が上部へ突出するように、一方の建物のパラペットの上部に取付けられたほぼクランク状の水切りカバーと、この水切りカバーの上部を左右方向に移動可能で、前記目地部を覆うように他方のパラペットあるいは他方の建物の外壁面に取付けられた両側板を有する山状あるいはクランク状の目地カバーと、前記水切りカバーの目地部側の上部へ突出する支持部に所定間隔で形成された複数個の支持孔と、この複数個の支持孔に左右の建物の異なる左右方向の揺れ動きに追従できる部位が支持され、他端部が前記目地カバーの一方の建物側の側板に前後方向に一端部が回動可能に取付けられた複数個の支持バーと、一端部が前記目地カバーの一方の建物側の側板に取付けられ、他端部が前記水切りカバーの支持部に所定量たるませて取付けられた防水シートと、この防水シートの所定部位を少なくとも１箇所以上支持して、前記複数個の支持バーにスライド移動可能に支持させる防水シート支持具とで構成されているので、地震等によって左右の建物が異なる左右方向に揺れ動いた場合に、防水シートが必要以上にたるんだりすることなく、揺れ動きが停止すると元の状態に自動的に戻すことができる。
したがって、従来のように防水シートが必要以上にたるんで、パラペットの側壁に添うように垂れ下がったり、損傷したり、元に戻す作業が不要で、安全に楽に使用することができる。
【００２４】
（２）前記（１）によって、防水シートの所定部位が少なくとも１箇所以上、複数個の支持バーにスライド移動可能に支持されている防水シート支持具に支持されているので、防水シートの少なくとも１箇所以上の部位をほぼ同時にスライド移動させることができるとともに、容易に防水シートを取付けることができる。
【００２５】
（３）前記（１）によって、複数個の支持バーの先端部を前後方向に回動できるので、該複数個の支持バーにスライド可能に支持されている防水シート支持具に取付けられている防水シートもスムーズに前後方向に追従移動させることができる。
【００２６】
（４）請求項２も前記（１）〜（３）と同様な効果が得られる。
【図面の簡単な説明】
【図１】本発明の第１の実施の形態の一部破断平面図。
【図２】図１の２−２線に沿う断面図。
【図３】本発明の第１の実施の形態の取付け金具の説明図。
【図４】本発明の第１の実施の形態の水切りカバーの説明図。
【図５】本発明の第１の実施の形態の目地カバー支持金具の説明図。
【図６】本発明の第１の実施の形態の目地カバーの説明図。
【図７】本発明の第１の実施の形態の支持バーの取付け状態の説明図。
【図８】本発明の第１の実施の形態の防水シート支持具の説明図。
【図９】本発明の第１の実施の形態の目地部が広くなった動作説明図。
【図１０】本発明の第１の実施の形態の目地部が狭くなった動作説明図。
【図１１】異なる前後方向に揺れ動いた動作説明図。
【図１２】本発明の第２の実施の形態の一部破断平面図。
【図１３】図１２の１３−１３線に沿う断面図。
【図１４】本発明の第２の実施の形態のガイドバーの取付け状態の説明図。
【図１５】本発明の第３の実施の形態の一部破断平面図。
【図１６】図１５の１６−１６線に沿う断面図。
【図１７】本発明の第３の実施の形態の目地カバー支持金具の説明図。
【図１８】本発明の第３の実施の形態の目地カバーの説明図。
【図１９】本発明の第４の実施の形態の一部破断平面図。
【図２０】図１９の２０−２０線に沿う断面図。
【図２１】本発明の第５の実施の形態の一部破断平面図。
【図２２】図２１の２２−２２線に沿う断面図。
【符号の説明】
１、１Ａ、１Ｂ、１Ｃ、１Ｄ：屋上用目地カバー装置、
２：目地部、            ３：建物、
４：一方のパラペット、  ４Ａ：他方のパラペット、
５：ビス、              ６：取付け金具、
７：支持部、            ８：水切りカバー、
９：支持孔、
１０、１０Ａ：目地カバー支持金具、
１１：側板、            １２、１２Ａ：目地カバー、
１３、１３Ａ：支持バー取付け金具、
１４：支持バー、        １５：防水シート、
１６：支持孔、          １７：ボルト、
１８：ナット、          １９：ボルト挿入孔、
２０：防水シート支持具、２１：シール剤、
２２：シール剤、        ２３：固定片、
２４：傾斜面、          ２５：支持片、
２６：上部取付け片、    ２７：下部取付け片、
２８：水切りカバー本体、２９：下部取付け片、
３０：固定金具、        ３１：枢支ピン、
３２、３２Ａ：目地カバー支持金具本体、
３３：目地カバー取付け片、
３４：目地カバー本体、  ３５：小口蓋、
３６：枢支ピン、
３７：支持バー取付け金具本体、
３８：ガイドバー、      ３９：ガイド孔、
４０：傾斜面、          ４１：第２の防水シート、
４２：防水シート。
【図１】
0003813878.tif 000002
【図２】
0003813878.tif 000003
【図３】
0003813878.tif 000004
【図４】
0003813878.tif 000005
【図５】
0003813878.tif 000006
【図６】
0003813878.tif 000007
【図７】
0003813878.tif 000008
【図８】
0003813878.tif 000009
【図９】
0003813878.tif 000010
【図１０】
0003813878.tif 000011
【図１１】
0003813878.tif 000012
【図１２】
0003813878.tif 000013
【図１３】
0003813878.tif 000014
【図１４】
0003813878.tif 000015
【図１５】
0003813878.tif 000016
【図１６】
0003813878.tif 000017
【図１７】
0003813878.tif 000018
【図１８】
0003813878.tif 000019
【図１９】
0003813878.tif 000020
【図２０】
0003813878.tif 000021
【図２１】
0003813878.tif 000022
【図２２】
0003813878.tif 000023